(57)【特許請求の範囲】
【請求項１】
電線の途中部に分岐電線を取り付けて分岐させる電線クランプにおいて、
前記電線が延在する周囲を矩形で筒状に囲む周壁面を有し、この矩形の長辺片側を一部切り欠いてＣ字状に隙間を空けて前記電線を前記筒状の中空内に出入可能にし、この電線を収納した中空内の両側短辺の面に各々開口する開口穴を備えた第１筐体と、
前記第１筐体の中空内に両側で各々外側に付勢しながら挿入されて前記開口穴に係合して固定する係止爪を備えた一対の弾性部を設け、この弾性部の間に支持されて前記分岐電線を電気的に接続して前記第１筐体の中空内に収納された前記電線に圧接する被覆カッターを有した第２筐体とを備え、
前記第１筐体内に前記電線を収納した後に前記第２筐体を挿入して前記係止爪が前記開口穴に係合することでお互いが固定され、この固定するまでの挿入時に前記分岐電線を接続した前記被覆カッターが、前記電線に沿ってスライドして被覆を剥離することにより前記電線と前記分岐電線とが電気的に圧接し、
前記第１筐体は、
前記電線を出入する前記隙間から中空内の底面までの間で両側に延在し、前記電線が前記中空内の両側に挿入される前記弾性部に引っ掛からないように区画されたリブと、
前記リブにより区画した内部の底面に凹凸を形成して前記電線の滑りを防止する滑り止め部と、を有することを特徴とする電線クランプ。
【請求項２】
請求項１に記載の電線クランプにおいて、
前記滑り止め部は、前記被覆カッターの挿入方向に向かって徐々に高く傾斜しながら突出し、前記電線が前記被覆カッターに十分に圧接するように設けたことを特徴とする電線クランプ。
【請求項３】
請求項１または２に記載の電線クランプにおいて、
前記滑り止め部は、前記第１筐体と別体に設けられ、前記リブ間の底面に外部から貫通して締結するネジの先端に回動可能に支持され、前記ネジの締結により高さを変えることで前記電線が前記被覆カッターに圧接する圧力を調節可能に設けたことを特徴とする電線クランプ。
【請求項４】
請求項１乃至３いずれかに記載の電線クランプにおいて、
前記被覆カッターは、前記第２筐体の両側に設けた前記弾性部の間に突出する支持部を有し、この支持部に着脱可能に支持されることを特徴とする電線クランプ。
【請求項５】
前記請求項１乃至４いずれかに記載の電線クランプを、バイパス電線としての前記分岐電線の両端部に各々一対に設けたことを特徴とする電線クランプを用いたバイパス装置。
【請求項６】
請求項５に記載のバイパス装置において、
前記電線クランプを両端に設けた前記分岐電線には、中央部にブレーカーを設けたことを特徴とする電線クランプを用いたバイパス装置。
【発明の詳細な説明】
【技術分野】
【０００１】
本発明は、電線クランプ及びそれを用いたバイパス装置に係り、より詳細には、電線の途中部に分岐電線を取り付けて分岐させる電線クランプ及びそれを用いた積算電力計の交換時に好適に使用可能なバイパス装置に関する。
【背景技術】
【０００２】
従来、電線クランプ及びそれを用いたバイパス装置は、例えば、一般家庭や工場等で使用される積算電力計の交換時によく用いられ、この積算電力計の電線に容易に接続可能なフック本体を備えた電線クランプを有し、この電線クランプをバイパス電線である分岐電線の両端部に各々一対に取付けて、積算電力計を介した入力側電線と出力側電線とを電気的に直接接続してバイパスすることで、積算電力計を新しいものと交換するバイパス装置が知られている（例えば、特許文献１参照。）。
【特許文献１】特許第３４１８９２５号公報  前述した構造による従来の電線クランプ及びそれを用いたバイパス装置の実施の形態を、図８〜図１０を参照して説明する。図８は、このようなフック本体を備えた従来の電線クランプ８の実施形態を示す構成図である。また、図９は、図８に示した電線クランプ８を用いた従来のバイパス装置７の実施形態を示す構成図である。また、図１０は、図９に示したバイパス装置７により積算電力計１をバイパスした状態を示す図である。
【０００３】
図８に示すように、従来の電線クランプ８の一実施形態は、積算電力計１の入力側電線２ａや出力側電線２ｂ（図１０参照）に係合させるフック部３２を備えたクランプ本体３０と、このクランプ本体３０のフック部３２内に対面させてクランプ本体３０に螺合させて先端部に尖鋭部４２を形成した導電性材料からなるクランプネジ４０とを備えている。また、この電線クランプ８は、図９に示すように、バイパス電線である分岐電線３の両端部にクランプ本体３０を各々一対に取付けて、この分岐電線３の両端をクランプネジ４０（図８参照）に電気的に接続することでバイパス装置７を構成している。尚、分岐電線３には、途中部にブレーカー４を介設し、積算電力計１（図１０参照）の交換時に電気的な接続または切断を選択できるように設けている。
【０００４】
このような構造からなる従来の電線クランプ８を用いたバイパス装置７は、図１０に示すように、分岐電線３の両端に接続した一対の電線プラグ８を、積算電力計１の入力側電線２ａと出力側電線２ｂとに各々取付けることでバイパスする。ここで、積算電力計１は、一般的に入力側電線２ａと出力側電線２ｂとに各々Ｕ、Ｖ、Ｗの三相の電線を有しており、分岐電線３の両端に電線クランプ８を一対に設けたバイパス装置７を３つ使用（図１０参照）して、入力側電線２ａと出力側電線２ｂとの各Ｕ、Ｖ、Ｗを順にバイパスしている。この際、電線クランプ８を複数の電線２（入力側電線２ａ及び出力側電線２ｂの６箇所）に各々取り付ける場合、図８に示したように、クランプ本体３０のフック部３２内に電線２を係合させた状態で、クランプネジ４０を締め込むことで固定する。この際、クランプネジ４０を締め込むと、尖鋭部４２が電線２の絶縁被覆を破りながら電線２内の導体部（図示せず）まで挿入して圧接することで、分岐電線３を介した両端に各電線２を機械的及び電気的に接続できる。
【０００５】
このように、従来の電線クランプ８を用いたバイパス装置７は、クランプ本体３０のフック部３２内に電線２を係合させてクランプネジ４０を締め込むことで容易に機械的及び電気的な接続が得られバイパスでき、積算電力計１の無停電による交換を短時間で実行可能にすることで広く採用している。
【発明の開示】
【発明が解決しようとする課題】
【０００６】
しかしながら、従来の電線クランプ及びそれを用いたバイパス装置では、図８に示したように、クランプネジ４０を締め込んで尖鋭部が電線２の絶縁被覆を破って電気的に接続させる構造（針電極構造）であり、この構造ではクランプネジ４０の被覆を破る尖鋭部４２と、この尖鋭部４２が接触する電線２の導体部（図示せず）との接触面積が小さいため、大電流に不向きであるという不具合があった。
また、従来の電線クランプ及びそれを用いたバイパス装置では、図８に示したクランプネジ４０がクランプ本体３０に締結することで電線２を押圧して圧接させる構造であって、このクランプネジ４０の締結後の作業中に振動や衝撃などにより締結が緩むと接触不良になる可能性が高いという不具合があった。
【０００７】
本発明は上記の点に鑑みなされたもので、その目的は、電線の剥離作業が不要で容易に分岐電線を接続でき、電気的な接触面積を広く確保して確実に接続できる電線クランプ及びそれを用いたバイパス装置を提供することにある。
【課題を解決するための手段】
【０００８】
本発明は上述した課題を解決するために、電線の途中部に分岐電線を取り付けて分岐させる電線クランプであって、電線が延在する周囲を矩形で筒状に囲む周壁面を有してこの矩形の長辺片側を一部切り欠いてＣ字状に隙間を空けて電線を筒状の中空内に出入可能にしてこの電線を収納した中空内の両側短辺の面に各々開口する開口穴を備えた第１筐体と、この第１筐体の中空内に両側で各々外側に付勢しながら挿入されて開口穴に係合して固定する係止爪を備えた一対の弾性部を設けてこの弾性部の間に支持されて分岐電線を電気的に接続して第１筐体の中空内に収納された電線に圧接する被覆カッターを有した第２筐体とを備え、第１筐体内に電線を収納した後に第２筐体を挿入して係止爪が開口穴に係合することでお互いが固定され、この固定するまでの挿入時に分岐電線を接続した被覆カッターが、電線に沿ってスライドして被覆を剥離して電気的に圧接するように設ける。
【０００９】
ここで、第１筐体は、電線を出入する隙間から中空内の底面までの間で両側に延在するリブを設け、電線が中空内の両側に挿入される弾性部に引っ掛からないように区画することが好ましい。また、第１筐体は、リブにより区画した内部の底面に凹凸を形成して電線の滑りを防止する滑り止め部を設けることが好ましい。また、滑り止め部は、被覆カッターの挿入方向に向かって徐々に高く傾斜しながら突出し、電線が被覆カッターに十分に圧接するように設けることが好ましい。また、滑り止め部は、第１筐体と別体に設けられ、リブ間の底面に外部から貫通して締結するネジの先端に回動可能に支持され、ネジの締結により高さを変えることで電線が被覆カッターに圧接する圧力を調節可能に設けることが好ましい。また、被覆カッターは、第２筐体の両側に設けた弾性部の間に突出する支持部を有し、この支持部に着脱可能に支持されることが好ましい。
【００１０】
また、本発明による電線クランプを用いたバイパス装置は、前述した電線クランプを、バイパス電線としての分岐電線の両端部に各々一対に設ける。ここで、電線クランプを両端に設けた分岐電線には、中央部にブレーカーを設けることが好ましい。
【発明の効果】
【００１１】
以上、本発明による電線クランプ及びそれを用いたバイパス装置によれば、第１筐体と第２筐体との二つのパーツを嵌合することで、誰でも安全で確実に一回の工程でバイパス線を取り付けでき、この際、電線の被覆を被覆カッターが広い範囲で剥ぎ取って導体部に電気的に接触するため、被覆カッターの板状面が広く接触する面接触が可能になり、大電流に対しても十分に対応することが可能になる。
また、本発明による電線クランプ及びそれを用いたバイパス装置によれば、第１筐体に第２筐体を挿入して係止爪が開口穴に係合することでお互いを固定しているため、この係止爪が外れない限り面接触による被覆カッターと電線との電気的な接続は確保され、接触不良も全く発生することなく、作業中の振動や衝撃に対しても十分に耐えて安全に作業することができる。
【発明を実施するための最良の形態】
【００１２】
次に、添付図面を参照して本発明による電線クランプ及びそれを用いたバイパス装置の実施の形態を詳細に説明する。図１は、本発明による電線クランプを用いたバイパス装置の実施形態を示す構成図である。また、図２は、図１に示した電線クランプ６を詳細に示す外観図である。また、図３は、図１に示した第１筐体１０を一部切り欠いた内部構造を示す図である。また、図４は、図２に示した被覆カッター２６の取り付け構造を示す図である。また、図５は、図２に示した電線クランプ６を積算電力計１に取り付ける動作を示す図である。また、図６は、図５に示した被覆カッター２６が電線２の被覆を剥離する状態を示す図である。また、図７は、図５に示した積算電力計１の交換後に電線２の修復処理を示す図である。
【００１３】
図１に示すように、本発明による電線クランプを用いたバイパス装置の実施形態は、途中部にブレーカー４を介設した分岐電線３と、この分岐電線３の両端部に第１筐体１０及び第２筐体２０からなる電線クランプ６とを備えてなり、例えば、図１０に示した従来技術のように、積算電力計１に連なるＵ、Ｖ、Ｗ三相の入力側電線２ａと出力側電線２ｂとをそれぞれ電気的に接続して、積算電力計１を迂回して入力側電線２ａから出力側電線２ｂへ直接給電させることで、出力側を停電させることなく積算電力計１を交換するように設けている。尚、図１に示した分岐電線３及びそれに介設するブレーカー４は周知の構成であり、図９に示した従来技術と同一の符号を記載する。
【００１４】
また、電線クランプ６は、図８に示した従来技術とは異なり、前述した第１筐体１０及び第２筐体２０から構成され、積算電力計１の複数の電線２（入力側電線２ａ及び出力側電線２ｂ：図１０参照）に電気的に接続するように形成している。より詳しく説明すると電線クランプ６は、図２に示すように、電線２が延在する周囲を矩形で筒状に囲む周壁面１２を有してこの矩形の長辺片側を一部切り欠いて略Ｃ字状に隙間１２ａを空けて電線２を筒状の中空内に出入可能にしてこの電線２を収納した中空内の両側短辺の面に各々開口する開口穴１２ｂを備えた第１筐体１０と、この第１筐体１０の中空内に両側で各々外側に付勢しながら挿入されて開口穴１２ｂに係合して固定する係止爪２２ａを備えた一対の弾性部２２を設けてこの弾性部２２の間に支持されて分岐電線３を電気的に接続して第１筐体１０の中空内に収納された電線２に圧接する被覆カッター２６を有した第２筐体２０とを各々備えている。この電線クランプ６は、第１筐体１０内に電線２を収納した後に第２筐体２０を挿入して係止爪２２ａが開口穴１２ｂに係合することでお互いが固定され、この固定するまでの挿入時に分岐電線３を接続した被覆カッター２６が、電線２に沿ってスライドして被覆を剥離して電気的に圧接するように設けている。
【００１５】
ここで、第１筐体１０は、電線２を出入する隙間１２ａから中空内の底面までの間で両側に延在するリブ１４を設け、電線２が中空内の両側に挿入される第１筐体１０の弾性部２２に引っ掛からないように区画している。また、第１筐体１０は、図３に示すように、リブ１４により区画した内部の底面に凹凸を形成して電線２（図２参照）の被覆の剥離中に生ずる滑りを防止できるように滑り止め部１６を設けている。この滑り止め部１６は、被覆カッター２６の挿入方向に向かって徐々に高く傾斜しながら突出し、電線２が被覆カッター２６に十分に圧接して確実に電線２に沿って被覆を剥離できるように設けている。また、滑り止め部１６は、第１筐体１０と別体に設けられ、板状で上面に前述した凹凸と徐々に突出する傾斜とを有した傾斜台１６ａを備え、この傾斜台１６ａをリブ１４間の底面に設置して外部から貫通して締結するネジ１６ｂの先端に回動可能に装着させて支持している。従って、滑り止め部１６は、ネジ１６ｂの締結により傾斜台１６ａを押し上げて高さを変えることができ、電線２が被覆カッター２６に圧接する圧力を調節可能に設けている。
【００１６】
また、第２筐体２０は、再び図２を参照して、弾性部２２が板状で両側一対に平行して対向するように配設され、この一対の弾性部２２の中央部分を連結して略Ｈ状に形成するとともに、この平行して一対に延在する弾性部２２の両端いずれか一方に、前述した第１筐体１０の開口穴１２ｂに係合する係止爪２２ａを形成している。また、第２筐体２０は、一対の弾性部２２を連結した中央から、係合爪２２ａを設けた弾性部２２間に延在して突出する支持部２４を更に一体に形成している。この支持部２４は、一対の弾性部２２間の中央に延在し、Ｈ状の断面を有して延在するように形成している。そして、被覆カッター２６を、第１筐体１０の弾性部２２の間に突出する支持部２４に、着脱可能に支持して配置している。この際、支持部２４は、Ｈ状の断面を有することに限定されるものではなく、被覆カッター２６を支持して第１筐体１０に挿入して電線２の被覆を剥離する時に、容易に撓まない形状に形成することが好ましい。また、被覆カッター２６は、図４に示すように、支持部２４の下面に設置され、この支持部２４の上面から下部に貫通して突出するネジ２５を備えて締結することで固定されている。即ち、被覆カッター２６は、電線２の被覆を複数回削って被覆するうちに切れ味が悪くなるものであり、その切れなくなった場合に、特殊な工具を使用せず、ネジ２５により簡単に取替え可能な構造に形成されている。
【００１７】
また、被覆カッター２６には、図４に示したように、バイパス電線である分岐電線３の端部を、支持部２４に設けた開口孔を介して挿通し、例えば、半田付け等により電気的に接続するように設けている。即ち、図１に示したバイパス装置５は、図２に示した電線プラグ６を分岐電線３の両端に接続してなり、この分岐電線３の両端が、図４に示した支持部２４に支持された被覆カッター２６に各々電気的に接続する構造に形成されている。従って、この電線プラグ６を用いたバイパス装置５では、電線２の導体部に被覆カッター２６の表面を接触させることで、分岐電線３に分岐させてバイパス接続することができ、且つ、被覆カッター２６の板状面が広く接触する面接触が可能になり大電流に対しても十分に対応することが可能になる。
【００１８】
次に、図５〜７を参照して、図１に示したバイパス装置５を、積算電力計１に取り付ける動作について詳細に説明する。まず、図１に示したバイパス装置５を積算電力計１に取り付ける場合、図１０に示した従来技術のように、バイパス装置５を３つ使用して、積算電力計１の三相の入力側電線と出力側電線との各Ｕ、Ｖ、Ｗを順にバイパスする。この際、３つのバイパス装置５は、好ましくは、各Ｕ、Ｖ、Ｗの誤結線防止のため、これに対応させて色（例えば、黒、白、赤）を変えて３種類設けることが望ましい。この際、バイパス装置５は、電線クランプ６と分岐電線３との両方または一方に着色して視認可能に設けることが好ましい。そして、このようなバイパス装置５の電線クランプ６を複数の電線２（入力側電線２ａ及び出力側電線２ｂの６箇所：図１０参照）に各々取り付ける場合、図５に示すように、第１筐体１０のＣ状に切り欠いた隙間１２ａから内部に電線２を収納した後、この第１筐体１０に第２筐体２０を挿入して係止爪２２ａが開口穴１２ｂに係合するまで押し込んでお互いを固定させる。この際、第１筐体１０に第２筐体２０を挿入するまでの挿入時には、分岐電線３を接続した被覆カッター２６が、図６に示すように、電線２に沿ってスライドして被覆を削って剥離するため、この電線２の被覆が図６の点線で示した一端支持の状態に削られて剥離し、この剥離した内部の導体部に電気的に圧接することで機械的及び電気的に固定できる。ここで、第１筐体１０は、図６に示したように滑り止め部１６が設けられており、滑り止め部１６のネジ１６ｂを締結することで傾斜台１６ａを押し上げて被覆カッター２６に電線２が十分に圧接するように調節している。そして、図５に示した第１筐体１０の開口穴１２ｂと第２筐体２０の係止爪２２あとが係合してお互いに固定されると、前述したように被覆カッター２６の裏側面が電線２の剥離した導体部に面接触した状態で固定され、バイパス接続が完了する。この際、第１筐体１０の開口穴１２ｂと第２筐体２０の係止爪２２ａとの係合を解除しない限り、被覆カッター２６と電線２との電気的な接続は確保されるため、図８に示した従来技術のようにクランプネジの緩みが生ずることはない。
【００１９】
その後、図１０に示した従来技術のように本発明によるバイパス装置５を３つ全て積算電力計１に装着すると、この積算電力計１の無停電による交換が可能になり、新しい積算電力計１に交換する作業を実行する。この際、本発明による電線クランプ６は、前述したように、交換作業中の振動や衝撃に対しても、開口穴１２ｂと係止爪２２ａとの係合を解除しない限り、被覆カッター２６と電線２との電気的な接続は確保され、接触不良も全く発生することなく安全に作業することができる。そして、新しい積算電力計１への交換が完了すると、図５に示した第１筐体１０の両側の開口穴１２ｂを作業者が押圧することで、開口穴１２ｂでの係止爪２２ａの係合が解除され、第１筐体１０から第２筐体２０が外れて電線２から電線クランプ６を容易に外すことができる。ここで、電線２は、図７に示すように、被覆が被覆カッター２６（図６参照）により一端支持の状態に削られて剥離しており、積算電力計１の交換後に一端支持の被覆を覆うように戻して工事用のテープ９を巻き付けることで、剥離された被覆の修復がテープ９のみにより短時間で実行することが可能になる。
【００２０】
このように本発明による電線クランプ及びそれを用いたバイパス装置の実施形態によると、第１筐体１０と第２筐体２０との二つのパーツを嵌合することで、誰でも電線２に安全で確実に一回の工程でバイパス線（分岐電線３）を取り付けでき、この際、電線２の被覆を被覆カッター２６が広い範囲で剥ぎ取って導体部に電気的に接触するため、被覆カッター２６の板状面が広く接触する面接触が可能になり、大電流に対しても十分に対応することが可能になる。
また、本発明による電線クランプ及びそれを用いたバイパス装置の実施形態によると、第１筐体１０に第２筐体２０を挿入して係止爪２２ａが開口穴１２ｂに係合することでお互いを固定しているため、この係止爪２２ａが外れない限り面接触による被覆カッター２６と電線２との電気的な接続は確保され、接触不良も全く発生することなく、作業中の振動や衝撃に対しても十分に耐えて安全に作業することができる。
【００２１】
以上、本発明による電線クランプ及びそれを用いたバイパス装置の実施の形態を詳細に説明したが、本発明は前述した実施の形態に限定されるものではなく、その要旨を逸脱しない範囲で変更可能である。
例えば、第１筐体と別体にネジと傾斜台とからなる滑り止め部を設けた実施の形態を詳細に説明したが、これに限定されるものではなく、電線の太さが一定であればネジを設けず傾斜台の傾斜及び凹凸を第１筐体に別体ではなく一体に形成してもよい。
【図面の簡単な説明】
【００２２】
【図１】本発明による電線クランプを用いたバイパス装置の実施形態を示す構成図。
【図２】図１に示した電線クランプを詳細に示す外観図。
【図３】図１に示した第１筐体を一部切り欠いた内部構造を示す図。
【図４】図２に示した被覆カッターの取り付け構造を示す図。
【図５】図２に示した電線クランプを積算電力計に取り付ける動作を示す図。
【図６】図５に示した被覆カッターが電線の被覆を剥離する状態を示す図。
【図７】図５に示した積算電力計の交換後に電線の修復処理を示す図。
【図８】従来の電線クランプの実施形態を示す構成図。
【図９】図８に示した電線クランプを用いた従来のバイパス装置の実施形態を示す構成図。
【図１０】図９に示したバイパス装置により積算電力計をバイパスした状態を示す図。
【符号の説明】
【００２３】
１    積算電力計
２    電線
３    分岐電線
４    ブレーカー
５    バイパス装置
６    電線クランプ
１０    第１筐体
１２    外周面
１２ａ  隙間
１２ｂ  開口穴
１４    リブ
１６    滑り止め部
１６ａ  傾斜台
１６ｂ  ネジ
２０    第２筐体
２２    弾性部
２２ａ  係止爪
２４    支持部
２５    ネジ
２６    被覆カッター
【図１】
0004707568.tif 000002
【図２】
0004707568.tif 000003
【図３】
0004707568.tif 000004
【図４】
0004707568.tif 000005
【図５】
0004707568.tif 000006
【図６】
0004707568.tif 000007
【図７】
0004707568.tif 000008
【図８】
0004707568.tif 000009
【図９】
0004707568.tif 000010
【図１０】
0004707568.tif 000011